(57)【要約】【課題】キャップリングを切断する十分な力が得やすく、口部の長さやキャップリングの幅などが少し異なるペットボトル製品であっても、刃をキャップリングに合せるのが容易なキャップリングカッターを提供することを目的とする。【解決手段】一対で前記カッターを構成する脚部２１をＸ字状に交差させて互いに回動させる。両脚部の先端に挟圧部２５が形成される。両脚部の後端には把持部２７が形成される。挟圧部２５の一方には、跨ぎ部３１の先端に刃１９が設けられ、この刃１９は、キャップリング７が嵌合している口部５の凹部１３に対応する形状を有する。挟圧部２５の他方には、前記刃１９を収納する溝４１を有する顎部４３が設けられる。【選択図】図１
0003164321.tif 000002
【実用新案登録請求の範囲】
【請求項１】
空のペットボトルの口部に残存するキャップリングを切断して分離するためのカッターであって、一対で前記カッターを構成する脚部と、この脚部をＸ字状に交差させて互いに回動させる回動軸と、前記両脚部の先端に形成される挟圧部と、前記両脚部の後端に形成される把持部と、前記両挟圧部の一方に設けられ、前記口部に形成されている雌ネジ部を跨ぐ跨ぎ部と、この跨ぎ部の先端に設けられ前記キャップリングが嵌合している前記口部の凹部に対応する形状を有する刃と、を有することを特長とするキャップリングカッター。  
【請求項２】
前記両挟圧部の他方には、前記刃を収納する溝を有する顎部が設けられることを特長とするキャップリングカッター。 
【考案の詳細な説明】
【技術分野】
【０００１】
この考案は、ペットボトルのキャップリングを切断するキャップリングカッターの構造に関する。
【背景技術】
【０００２】
環境破壊を防ぐため廃物のリサイクル問題の重要性が指摘されているが、その中でもペットボトルのリサイクルは重要である。ペットボトルは、容器がＰＥＴすなわちポリエチレンテレフタレートで成形され、キャップはＰＥＴ以外のプラスチックから成形される。そして、リサイクルのための回収の際には空の容器とキャップとを分別する必要がある。
【０００３】
ところが、キャップそのものは回収時に容器から容易に外されるが、キャップリングは容器の口部に嵌合したまま残存していることが多い。この残存しているキャップリングを素手で取り外すことは困難である。
この困難性を解決するために下記の特許文献１では、図３（Ａ）に示すように、キャップリングを切断して分離するためのカッター１０１が提案されている。このカッター１０１は、棒状の把持部１０３の先部に略Ｌ字状部分１０５が設けられ、その略Ｌ字状部分１０５の先端に刃１０７が形成される。この略Ｌ字状部分１０５の内角部１０９を、空のペットボトル１１１の口部１１３の縁に押し当て（図３（Ｂ））、押し当てた部分１１５を支点にして、梃子のように把持部１０３を持上げれば、先端の刃１０７がキャップリング１１７を押し切るようにして、切断する（図３（Ｃ））。
【先行技術文献】
【特許文献】
【０００４】
【特許文献１】特開2003-237894
【考案の概要】
【考案が解決しようとする課題】
【０００５】
しかしながら、上記の特許文献１では、切断時の支点の安定が悪く、すぐにズレてしまう。よって、キャップリングを押し切る十分な力が得にくい。このため、子供や主婦には力が足りず使いにくいものになってしまう恐れがある。
また、押し当てた部分を支点にしたまま切断作業をしなければならないので、口部の縁である支点から刃までの距離が完全に決まってしまい、よって刃は完全に半径が決まった円弧上を動くため、口部の長さやキャップリングの幅などが少しでも異なるペットボトル製品では、刃物をキャップリングに合せるのが困難となる。
さらに文献１ではペットボトル１１１の本体を持ち、梃子の原理でペットボトル１１１と把持部１０３を押し曲げるように力を加えて切断させることになるが、ミネラルウォーターのペットボトル１１１等のＰＥＴ材質が薄くできているものは、ペットボトル１１１本体に強度がなく、このため押し曲げ動作が困難である。
【０００６】
この考案は、以上の問題点を解決するために、キャップリングを切断する十分な力が得やすく、口部の長さやキャップリングの幅などが少し異なるペットボトル製品であっても、刃をキャップリングに合せるのが容易なキャップリングカッターを提供することを目的とする。
【課題を解決するための手段】
【０００７】
以上の課題を解決するために、第一考案は、空のペットボトルの口部に残存するキャップリングを切断して分離するためのカッターであって、一対で前記カッターを構成する脚部と、この脚部をＸ字状に交差させて互いに回動させる回動軸と、前記両脚部の先端に形成される挟圧部と、前記両脚部の後端に形成される把持部と、前記両挟圧部の一方に設けられ、前記口部に形成されている雌ネジ部を跨ぐ跨ぎ部と、この跨ぎ部の先端に設けられ前記キャップリングが嵌合している前記口部の凹部に対応する形状を有する刃と、を有することを特長とするキャップリングカッターである。
【０００８】
第二考案は、さらに、前記両挟圧部の他方には、前記刃を収納する溝を有する顎部が設けられることを特長とするキャップリングカッターである。
【考案の効果】
【０００９】
第一、又は第二考案にかかるキャップリングカッターによれば、プライヤー、ペンチ、あるいはハサミなどのように、一対で前記カッターを構成する脚部と、この脚部をＸ字状に交差させて互いに回動させる回動軸と、前記両脚部の先端に形成される挟圧部と、前記両脚部の後端に形成される把持部と、を有するので、回動軸を支点として十分に大きな力を得られる。
【００１０】
このため、上記の特許文献１のようにペットボトルに押し当てた部分を支点にしたまま切断作業をしなければならない等ということはない。よって、子供や主婦のように非力な者でも、キャップリングを切断する十分な力が得やすい。
また、上記の特許文献１のように押し当てた部分を支点にしたまま切断作業をしなければならない等ということはないので、ペットボトルの口部に対して、刃を、ある程度自由に移動でき、よって、口部の長さやキャップリングの幅などが少し異なるペットボトル製品であっても、刃をキャップリングに合せるのが容易である。且つ、ペットボトル本体の強度による影響を受けない。
【００１１】
さらに、口部に形成されている雌ネジ部を跨ぐ跨ぎ部の先端に刃が設けられているので、口部の雄ネジ部に接触しないで済み、小さな力で切断作業が行なえる。
また、刃は、キャップリングが嵌合している口部の凹部に対応する形状を有するので、キャップリングだけを切断でき、小さな力で切断作業が行なえる。
さらに、第二考案にかかるキャップリングカッターによれば、両挟圧部の他方には、刃を収納する溝を有する顎部が設けられるので、キャップリングカッターを使用しない時に、刃を保護し、また、手や他のものを傷つけない安全性が保てる。
【図面の簡単な説明】
【００１２】
【図１】この考案の一実施形態にかかるキャップリングカッターを示すもので、（Ａ）は使用状態の斜視図、（Ｂ）は使用状態の要部拡大図、（Ｃ）は（Ｂ）の刃の正面図、（Ｄ）は（Ｂ）の切断動作の図である。
【図２】この考案の他の実施形態にかかるキャップリングカッターの要部を示すもので、（Ａ）は図１（Ｂ）に対応する図、（Ｂ）は図１（Ｄ）に対応する図である。
【図３】この考案のさらに他の実施形態にかかるキャップリングカッターを示すもので、（Ａ）は図１（Ａ）に対応する図、（Ｂ）は（Ａ）の矢印Ｂ方向から見た刃の拡大図である。
【図４】キャップリングを切断する従来のカッターを示すもので、（Ａ）は全体図、（Ｂ）（Ｃ）は使用状態の要部拡大図である。
【考案を実施するための形態】
【００１３】
この考案の一実施形態にかかるキャップリングカッターを図１に示す。
図１（Ａ）に示すように、このキャップリングカッター１は、空のペットボトル３の口部５に残存するキャップリング７を切断して、分離し、ペットボトル３とキャップリング７を別々に回収するためのものである。
一般に、ペットボトル３の口部５は、円筒状で、その外周面９にキャップの内周に形成される雌ネジ部に対応する雄ネジ部１１が形成されている。この雄ネジ部１１の下側、すなわち図１（Ａ）の左側に、キャップリング７が設けられる。図１（Ｂ）に示すように、キャップリング７は、リング状の凹部１３に嵌合している。口部５の内周面１５は、平らである。
【００１４】
この実施形態では、従来から存在する道具であるプライヤー１７を利用し、その先端に刃１９などを設けキャップリングカッター１とした。
すなわち、一対の脚部２１がカッターを構成する。この脚部２１をＸ字状に交差させて、その交差部には回動軸２３が設けられる。この回動軸２３により、一対の脚部２１は互いに回動する。両脚部の先端には挟圧部２５が形成され、後部には把持部２７が形成される。
【００１５】
両挟圧部２５の一方、すなわち図中上側の挟圧部２５には、跨ぎ部３１が形成され、口部５に形成されている雄ネジ部１１を跨ぐ。この跨ぎ部３１の先端に、プレート３３が穴３５に設けられたリベット３７により固定される。このプレート３３に刃１９が設けられる。
【００１６】
図１（Ｂ）に示すように、刃１９は、キャップリング７が嵌合する凹部１３の断面形状に対応して、この凹部１３よりわずかに大きな略下向きの台形形状を有する。すなわち、＋０．０〜０．５ｍｍくらい凹部１３より大きめにする。
刃１９のうち、実際に切断を行なう刃先部３９は、略下向きの台形形状の下辺、左辺、及び右辺を連続する略Ｕ字形状部分のみならず、略Ｕ字形状の左右端をそれぞれ延長した部分まで形成され、全体として逆Ω形状を有する。
【００１７】
両挟圧部２５の他方、すなわち図中下側の挟圧部２５には、刃１９を収納する溝４１を有する顎部４３が設けられる。顎部４３は刃１９より長くし、刃１９によるケガを防止する。また、顎部４３は、口部５の内周面１５にあわせてＲ加工を施す。
また、脚部２１の後端には、厚さが薄くなった引っ掛け爪４５が形成され、切断されたキャップリング７を、凹部１３から容易に外す際に使用される。
【００１８】
［切断作業］
このキャップリングカッター１で、空のペットボトル３の口部５に残存するキャップリング７を切断する作業は、以下のように行なう。
まず、キャップリングカッター１の両挟圧部２５のうち、顎部４３が設けられている図中下側の挟圧部２５を、ペットボトル３の口部５に挿入する。そして、刃１９が設けられている図中上側の挟圧部２５を、ペットボトル３の口部５の外側に位置させ、その刃１９を、キャップリング７の上に位置させる。
【００１９】
そして、両把持部２７を握り、両挟圧部２５でキャップリング７を挟圧すれば、挟圧部２５の刃１９が、キャップリング７を切断する。このとき刃１９を、キャップリング７が嵌合する凹部１３に嵌合させるように狙いを付ければ、キャップリング７の切断残しが無く、完全な切断が容易に行える。
【００２０】
切断後に、脚部２１の後端に形成された引っ掛け爪４５を、切断されたキャップリング７と凹部１３の間にこじ入れれば、キャップリング７を凹部１３から容易に外すことができる。
【００２１】
［実施形態の効果］
以上の実施形態にかかるキャップリングカッター１によれば、以下の効果を得る。
（１）すなわち、このキャップリングカッター１は、プライヤー１７、ペンチ、あるいはハサミなどのように、一対で前記カッターを構成する脚部２１をＸ字状に交差させて互いに回動させ、回動軸２３を支点として十分に大きな力を得られる。このため、上記の特許文献１のようにペットボトル３に押し当てた部分を支点にしたまま切断作業をしなければならない等ということはない。よって、子供や主婦のように非力な者でも、キャップリング７を切断する十分な力が得やすい。
【００２２】
（２）また、上記の特許文献１のように押し当てた部分を支点にしたまま切断作業をしなければならない等ということはないので、ペットボトル３の口部５に対して、刃１９を、ある程度自由に移動できる。よって、口部５の長さやキャップリング７の幅などが少し異なるペットボトル製品であっても、刃１９をキャップリング７に合せ狙いを付けるのが容易である。
【００２３】
（３）さらに、口部５に形成されている雌ネジ部を跨ぐ跨ぎ部３１の先端に刃１９が設けられているので、刃１９が口部５の雌ネジ部に接触しないで済み、小さな力で切断作業が行なえる。
（４）また、刃１９は、キャップリング７が嵌合している口部５の凹部１３に対応する形状を有するので、キャップリング７だけを切断でき、小さな力で切断作業が行なえる。
（５）さらに、両挟圧部２５の他方には、刃１９を収納する溝４１を有する顎部４３が設けられるので、キャップリングカッター１を使用しない時に、刃１９を保護し、また、手や他のものを傷つけない安全性が保てる。
（６）切断後に、脚部２１の後端に形成された引っ掛け爪４５を、切断されたキャップリング７と凹部１３の間にこじ入れれば、キャップリング７を凹部１３から容易に外すことができる。
【００２４】
「他の実施形態」
以上の実施形態では、従来から存在する道具であるプライヤー１７を利用し、キャップリングカッター１としたが、他の実施形態では、ペンチまたはハサミなどを利用することも、もちろん可能である。
【００２５】
以上の実施形態では、切断開始時の刃１９の位置決めは、いわば目視で行なうものであったが、他の実施形態では、例えば図２に示すように、刃１９が設けられるプレート３３を工夫して、このプレート３３を口部５に突き当てることで刃１９の位置決めを行なうことが可能である。  
すなわち、プレート３３の後方を延長し口部５に向かってＬ字状に屈曲させる。このＬ字状部分４７の屈曲部４９を口部５の縁５１に突き当てた状態で、刃１９がキャップリング７の上に位置するように、Ｌ字状部分４７の差込み部５２の長さを設定すれば、目視によらずに正確で容易な刃１９の位置決めが行える。
【００２６】
また、Ｌ字状部分４７の屈曲部４９の長さを小さくすれば、突き当て部５３を機能させずに、屈曲部４９ごと差込み部５２を、口部５に向かって移動すれば、口部５の長さやキャップリング７の幅などが少し異なるペットボトル製品であっても、刃１９をキャップリング７に合せることが可能である
以上の実施形態では、刃１９は、キャップリング７が嵌合する凹部１３の断面形状に対応して、この凹部１３よりわずかに大きな略下向きの台形形状を有するものとしたが、他の実施形態では、刃先部３９を十分に鋭くすれば、刃１９の形状にあまりこだわらなくても構わない。すなわち、キャップリング７に深い切込みを付けることができれば、後述する引っ掛け爪４５により、キャップリング７を外すことができる。
以上の実施形態では、刃１９は、脚部２１とは別体に設けられるものであったが、他の実施形態では、例えば図３に示すように、一体とすることができる。この場合に、両挟圧部２５の一方、すなわち図中上側の挟圧部２５は、跨ぎ部３１の先端の厚みが徐々に薄くなり、やがて刃１９の部分でもっとも薄く、鋭くなる。
【符号の説明】
【００２７】
１…キャップリングカッター、３…ペットボトル、５…口部、７…キャップリング、９…外周面、１１…雄ネジ部、１３…凹部、１５…内周面、１７…プライヤー、１９…刃、２１…脚部、２３…回動軸、２５…挟圧部、２７…把持部、３１…跨ぎ部、３３…プレート、３５…穴、３７…リベット、３９…刃先部、４１…溝、４３…顎部、４５…引っ掛け爪、４７…Ｌ字状部分、４９…屈曲部、５１…縁、５２・・差込み部、５３…突き当て部。
【図４】
0003164321.tif 000003
【図１】
0003164321.tif 000004
【図２】
0003164321.tif 000005
【図３】
0003164321.tif 000006
【手続補正書】
【提出日】平成22年9月22日(2010.9.22)
【手続補正１】
【補正対象書類名】実用新案登録請求の範囲
【補正対象項目名】全文
【補正方法】変更
【補正の内容】
【実用新案登録請求の範囲】
【請求項１】
空のペットボトルの口部に残存するキャップリングを切断して分離するためのカッターであって、一対で前記カッターを構成する脚部と、この脚部をＸ字状に交差させて互いに回動させる回動軸と、前記両脚部の先端に形成される挟圧部と、前記両脚部の後端に形成される把持部と、前記両挟圧部の一方に設けられ、前記口部に形成されている雌ネジ部を跨ぐ跨ぎ部と、この跨ぎ部の先端に設けられ前記キャップリングが嵌合している前記口部の凹部に対応する形状を有する刃と、を有することを特長とするキャップリングカッター。  
【請求項２】
前記両挟圧部の他方には、前記刃を収納する溝を有する顎部が設けられることを特長とする請求項１に記載のキャップリングカッター。